(57)【要約】　　　（修正有）【課題】ダイヤルイン番号毎に、着信形態の選択を可能とし、呼び出しを行う端末装置を１台に限定しないようにする。【解決手段】電話交換機の記憶装置１３１へ着番号毎に着信形態を記憶し、網からダイヤルイン着信したときに網２、３より受信したダイヤルイン番号と記憶装置１３１に記憶されている着信形態とを対応させて、端末装置への呼び出しを行なう。これによって、着信端末装置の複数化を行う。【効果】ダイヤルイン着信を他の着信形態に変換することにより、スムーズな局線応答ができる。局線毎に着信形態を決定していた場合よりも、局線の数をへらすことができる。ＩＳＤＮ回線を利用した場合は、音声系とデータ系を完全に分離した着信形態ができる。【選択図】　図１
2004140853.tif 000002
【特許請求の範囲】
【請求項１】
複数の端末装置を収容すると共に、少なくとも網からのダイヤルイン着信を受け、ダイヤルイン着信したときに得られるダイヤルイン番号に対応する端末装置を呼び出すことが可能な電話交換機において、
特定のダイヤルイン番号に対応させて、着信グループ及び局線の着信表示を行なう着信表示手段への着信形態で着信制御することを記憶する手段と、
ダイヤルイン着信の際に、前記特定のダイヤルイン番号を得た場合は、前記着信グループに対応する着信表示手段へ着信表示する手段とを備えたことを特徴とする電話交換機。
【発明の詳細な説明】
【技術分野】
【０００１】
　本発明は、電話交換機における着信方式に関する。
【背景技術】
【０００２】
　従来、ダイヤルイン着信方式を提供する電子交換機または電子ボタン電話装置では、アナロク網もしくはＩＳＤＮ網から送出されてくるダイヤルイン番号またはＩＳＤＮ網から着信したときに送出されてくる着番号（以下これらを総称して「ＤＩ番号」と呼ぶ）により、ＤＩ番号を端末番号に置き換え、その置き換えられた番号に基づいて、端末装置を選択し、端末装置に対する呼び出しを行う方式であった。（例えば特許文献１又は特許文献２参照）
【０００３】
　また、ダイヤルイン着信方式を提供しない場合には、複数の端末装置の呼出しが可能であったが、この場合には、局線毎に着信形態を決定するために、局線を多く必要とした。
【特許文献１】特開昭６３−９０２９３号公報
【特許文献２】特開平２−１５８２５５号公報
【発明の開示】
【発明が解決しようとする課題】
【０００４】
　上述した従来のダイヤルイン着信方式では、呼び出しを行なう端末装置が１台に限られるため、複数の端末装置を呼び出すことができなかった。
　本発明の目的は、前記問題を解消するもので、ＤＩ番号毎に着信形態を選択することを実現し、ダイヤルイン着信方式における機能の向上を図ることにある。
【課題を解決するための手段】
【０００５】
　本発明の目的は、複数の端末装置を収容すると共に、少なくとも網からのダイヤルイン着信を受け、ダイヤルイン着信したときに得られるダイヤルイン番号に対応する端末装置を呼び出すことが可能な電話交換機において、特定のダイヤルイン番号に対応させて、着信グループ及び局線の着信表示を行なう着信表示手段への着信形態で着信制御することを記憶する手段と、ダイヤルイン着信の際に、前記特定のダイヤルイン番号を得た場合は、前記着信グループに対応する着信表示手段へ着信表示する手段とを備えたことによって達成できる。
【０００６】
　ＤＩ番号毎にそのＤＩ番号に対応する局線着信形態を、記憶装置に設定することで、ダイヤルイン着信もしくはＩＳＤＮ回線からの着信の場合、受信したＤＩ番号から着信形態決定用データをサーチし、ＤＩ番号が一致している着信形態決定用データを決定する。それによって、着信端末装置の複数化及び、他の端末装置への着信表示を行なう。
【０００７】
　また、ＩＳＤＮ回線によるダイヤルイン着信時には、音声系着信とデータ系着信の種別毎に、着信端末装置を別々とするために、ＩＳＤＮ回線のＤＩ番号に対しては、音声系用着信形態決定用データとデータ系用着信形態決定用データを別々とする。それによって、音声系着信とデータ系着信の種別毎に、着信端末装置が別々に選択できる。
【発明の効果】
【０００８】
　以上説明したように、本発明によれば以下に記載されているような効果を奏する。
【０００９】
　ダイヤルイン着信を他の着信形態に変換することにより、スムーズな局線応答ができる。
【００１０】
　また、局線毎に着信形態を決定していた場合よりも、局線の数を減らすことができる。
【００１１】
　さらに、ＩＳＤＮ回線（例えば、ＩＳＤＮ基本インタフェース、またはＩＳＤＮ一次群インタフェース）を使用した場合に、音声系とデータ系を完全に分離した着信形態ができる。
【発明を実施するための最良の形態】
【００１２】
　以下、本発明の実施形態について図面を参照して詳細に説明する。
　図１は、本発明の一実施形態を示すブロック図である。図１において、中央制御装置１３０は、ランダムアクセスメモリ（ＲＡＭ）を有する記憶装置１３１と接続されており、その記憶装置１３１に記憶されているプログラム及びデータに従って交換動作の処理を行なう。
【００１３】
また、局線インタフェース１１０はアナログ信号により、上位局であるアナログ網２と接続するインタフェース回路であり、ＩＳＤＮインタフェース１１１は、デジタル信号により上位局ＩＳＤＮ網３と接続するインタフェース回路である。端末装置インタフェース１１２、１１３、１１４は、それぞれ端末装置１２０、１２１、１２２（例えば、電話機、データ端末）を接続するインタフェース回路である。また、着信表示盤１４０は、分散着信したときに、着信を表示するための装置である。
【００１４】
　図２は、受信したＤＩ番号を着信形態に変換するためのデータ構成を示す図であり、受信したＤＩ番号によりデータをサーチし、受信したＤＩ番号がデータとして格納されているＤＩ番号２１と一致（対応）した場合、それ以後にある着信形態のデータ２２又は２３が有効となる。着信形態のデータ２２又は２３には、着信グループ、着信先端末装置番号、及びその他の着信制御に必要なデータが設定されている。なお、この着信形態のデータ２２又は２３は記憶装置１３１に記憶されているものである。
【００１５】
　以下、動作を説明する。
　ダイヤルイン着信は、アナログ網２もしくはＩＳＤＮ網３から局線インタフェース１１０もしくはＩＳＤＮインタフェース１１１を介して、ＤＩ番号を受信する。
【００１６】
　中央制御装置１３０は、着信した呼のＤＩ番号から図２のデータをサーチし、着信形態のデータ２２又は２３から着信制御に必要なデータ（着信先端末装置番号）を抽出する。また、ＩＳＤＮ網３からＩＳＤＮインタフェース１１１に着信した場合には、ダイヤルイン着信時に、音声系及びデータ系を識別することにより、音声系とデータ系で、別々の着信形態が設定されているデータ２２又は２３を決定し、決定した着信形態のデータ２２又は２３に基づいて、着信制御に必要なデータ２２又は２３を抽出する。
【００１７】
　中央制御装置１３０は、その抽出したデータ２２又は２３を基に、着信制御を行なう。例えば、音声系用の着信形態のデータ２２には、端末装置１２０の呼び出しが登録してあり、データ系用の着信形態のデータ２３には、端末装置１２１及び１２２の両方の呼び出しが登録してあるとする。そして中央制御装置１３０は、着信が音声系着信のときは、端末装置１２０を選択し、端末装置インタフェース１１２を介して端末装置１２０の呼び出しを行なう。また、着信がデータ系着信のときは、端末装置１２１を選択し、端末装置インタフェース１１３を介して端末装置１２１の呼び出しを行ない、同時に端末装置１２２を選択し、端末装置インタフェース１１４を介して端末装置１２２の呼び出しを行なう。
【００１８】
　また、着信形態を、端末装置の呼び出しではなく、着信グループ対応の着信表示盤１４０への表示の指定とすれば、ＤＩ番号毎に、着信表示盤１４０へ表示することができ、端末装置より特定の数字をダイヤルすることで、応答することもできる。
【図面の簡単な説明】
【００１９】
【図１】本発明の一実施形態を示すブロック図。
【図２】ＤＩ番号を着信形態に変換するためのデータの構成を示す図。
【符号の説明】
【００２０】
　１００　通話路
　１１０　局線インタフェース
　１１１　ＩＳＤＮインタフェース
　１１２、１１３、１１４　端末装置インタフェース
　１２０、１２１、１２３　端末装置
　１３０　中央制御装置
　１３１　記憶装置
　１４０　着信表示盤
【図１】
2004140853.tif 000003
【図２】
2004140853.tif 000004
【手続補正書】
【提出日】平成15年12月19日(2003.12.19)
【手続補正１】
【補正対象書類名】特許請求の範囲
【補正対象項目名】全文
【補正方法】変更
【補正の内容】
【特許請求の範囲】
【請求項１】
複数の端末装置を収容すると共に、少なくとも網からのダイヤルイン着信を受け、ダイヤルイン着信したときに得られるダイヤルイン番号に対応する端末装置を呼び出すことが可能な電話交換機において、
特定のダイヤルイン番号に対応させて、着信グループ及び局線の着信表示を行なう着信表示手段への着信表示形態で着信制御することを記憶する手段と、
ダイヤルイン着信の際に、前記特定のダイヤルイン番号を得た場合は、前記着信グループに対応する着信表示手段に着信表示する手段とを備えたことを特徴とする電話交換機。
【請求項２】
前記着信表示手段に着信表示されている際に、前記端末装置の特定操作で応答することを特徴とする請求項１記載の電話交換機。
【請求項３】
前記端末装置の特定操作は、ダイヤル操作であることを特徴とする請求項２記載の電話交換機。
【請求項４】
前記着信表示手段への着信表示を、ダイヤルイン番号毎に行なうことを特徴とする請求項１記載の電話交換機。
【請求項５】
前記網はＩＳＤＮ網であり、前記ダイヤルイン番号は着番号であることを特徴とする請求項１記載の電話交換機。
【手続補正２】
【補正対象書類名】明細書
【補正対象項目名】０００５
【補正方法】変更
【補正の内容】
【０００５】
　本発明の目的は、複数の端末装置を収容すると共に、少なくとも網からのダイヤルイン着信を受け、ダイヤルイン着信したときに得られるダイヤルイン番号に対応する端末装置を呼び出すことが可能な電話交換機において、特定のダイヤルイン番号に対応させて、着信グループ及び局線の着信表示を行なう着信表示手段への着信表示形態で着信制御することを記憶する手段と、ダイヤルイン着信の際に、前記特定のダイヤルイン番号を得た場合は、前記着信グループに対応する着信表示手段に着信表示する手段とを備えたことによって達成できる。また、前記着信表示手段に着信表示されている際に、前記端末装置の特定操作で応答することによって達成できる。また、前記端末装置の特定操作は、ダイヤル操作であることによって達成できる。また、前記着信表示手段への着信表示を、ダイヤルイン番号毎に行なうことによって達成できる。また、前記網はＩＳＤＮ網であり、前記ダイヤルイン番号は着番号であることによって達成できる。